(57)【特許請求の範囲】
【請求項１】
容器の口筒部にスリットバルブを中栓とキャップを介して取着した吐出容器であって、
前記スリットバルブは、バルブ基体と、該バルブ基体に薄肉の連結壁を介して連設され、上端に外側表面を球面状としたオリフィス形成壁を連設した保持筒壁を具備しており、
前記中栓は、バルブ基体を支持する保持壁と、バルブ保持筒、および嵌合筒とを具備しており、
前記キャップは、キャップ基体と該基体に取着された開閉蓋とからなり、
キャップ基体は、中央部に開口を設けた上壁と、該上壁から垂設された中栓のバルブ保持筒を保持する嵌着筒、スリットバルブを中栓に位置決めするバルブ保持筒、および、前記開口の周りの上壁上面に立設され、上端に膨出環を設けた密封リングとを具備しており、
開閉蓋は、頂壁内面に、オリフィス形成壁の外側表面の球面にほぼ等しい球面状の表面を有する突出部と、オリフィス形成壁の外側表面の周端縁を囲む係止リングと、該係止リングの外側に垂設され、下端に前記キャップ基体の密封リングの膨出環と係合する膨出環を設けた密封リングとを具備していることを特徴とする内容物吐出容器のキャップ。
【発明の詳細な説明】
【０００１】
【発明の属する技術分野】
本発明は、スリットバルブを取着した内容物吐出容器、とくに容器の口筒部にスリットバルブを中栓とキャップを介して取着した内容物吐出容器におけるキャップに関する。
【０００２】
【従来の技術】
容器口部に中栓とキャップを介して、バルブヘッドのオリフィス形成壁にスリットを形成したスリットバルブを装着し、容器胴部を手で押圧することによってスリットバルブを開閉させ、所定量の内容物を吐出するようにした吐出容器において、キャップ上壁にスリットバルブを外側から覆う開閉蓋を取着した容器は従来より知られている。
【０００３】
【発明が解決しようとする課題】
しかしながら、従来の容器では、内容物の吐出時にバルブヘッドのオリフィス形成壁から液垂れした内容物がバルブヘッドの周辺に付着し、キャップ上壁、開閉蓋裏面が汚れるという問題があった。
また、内容物を充填した容器を落としたり、内容物を混合させるため容器を振ったりした場合に、ウォーターハンマー現象によって、オリフィス形成壁に負荷がかかり、それによってスリットから液洩れが生じ、液洩れした内容物が開閉蓋裏面に付着したり、キャップの上壁上面に溜まるという問題があった。
【０００４】
本発明は、上記の問題点を解決することを技術的課題として、液垂れ、液洩れした内容物がキャップ上壁の周辺に浸出しないようにした内容物吐出容器を提供することを目的とする。
【０００５】
【課題を解決するための手段】
本発明は、上記の技術的課題を達成するため、内容物吐出容器のキャップとして、容器の口筒部にスリットバルブを中栓とキャップを介して取着した吐出容器であって、前記スリットバルブは、バルブ基体と、該バルブ基体に薄肉の連結壁を介して連設され、上端に外側表面を球面状としたオリフィス形成壁を連設した保持筒壁を具備しており、前記中栓は、バルブ基体を支持する保持壁と、バルブ保持筒、および嵌合筒とを具備しており、前記キャップは、キャップ基体と該基体に取着された開閉蓋とからなり、キャップ基体は、中央部に開口を設けた上壁と、該上壁から垂設された中栓のバルブ保持筒を保持する嵌着筒、スリットバルブを中栓に位置決めするバルブ保持筒、および、前記開口の周りの上壁上面に立設され、上端に膨出環を設けた密封リングとを具備しており、開閉蓋は、頂壁内面に、オリフィス形成壁の外側表面の球面にほぼ等しい球面状の表面を有する突出部と、オリフィス形成壁の外側表面の周端縁を囲む係止リングと、該係止リングの外側に垂設され、下端に前記キャップ基体の密封リングの膨出環と係合する膨出環を設けた密封リングとを具備していることを特徴とする構成を採用する。
【０００６】
【発明の実施の形態】
次に、本発明の実施形態について、図面を参照して説明する。
図１において、Ａは容器、Ｂはキャップ、Ｂ１はキャップ基体、Ｂ２はキャップ基体に蝶番によって取着された開閉蓋、Ｃは中栓、Ｄはスリットバルブである。
【０００７】
図２，３に示すように、容器Ａは、口筒部１と肩部２、胴部３および底部４とからなっており、可撓性を有する合成樹脂を素材として成型されている。
口筒部１の外周には、ネジ溝５を刻設した拡径部６が形成され、その下方に保持環７が設けられている。
口筒部１の下端外周には、キャップ位置決め部材８が突出するように設けられている。
【０００８】
前記肩部２は、口筒部１に連続して段部９が設けられ、該段部９は、その上面に前記キャップ位置決め部材８を支えるとともに、その外周に廻動止め部材１０が設けられている。
肩部２の周縁部には、キャップＢを載置する載置段部１１が設けられている。
【０００９】
前記胴部３は、断面扁平楕円状に形成され、対向する扁平面を押圧面１２とした胴壁１３を有し、胴壁１３は押圧面１２の押圧操作に応じて、形状変形、復元可能となっている。
容器Ａの内容物として、家庭用の洗剤、化粧料、食料等が、粉体、液体、粘性液、粘性流動物の形態で充填される。
【００１０】
図４〜８に示すように、キャップＢは、キャップ基体Ｂ１と、該キャップ基体Ｂ１に蝶番２０によって開閉自在に取着された開閉蓋Ｂ２とからなり、合成樹脂によって成型されている。
キャップ基体Ｂ１は、口筒部１に被嵌され、中栓Ｃを介してスリットバルブＤを保持するバルブ保持部２１と、外周形状を容器Ａの胴壁１３外周とほぼ同形の扁平楕円状に形成した外周壁２２と、覆壁２３とを具えている。
【００１１】
バルブ保持部２１は、ほぼ長方形の上壁２４と、該上壁２４の下面から垂設された嵌着筒２５とバルブ保持筒２６とを有している。
上壁２４は、外周壁２２の前後に対向する周壁２７ａ，ｂの間に架設されており、上壁２４の中央部にスリットバルブＤが挿通される円形の開口２８が設けられている。
該開口２８の周りには、上端外周に膨出環２９を設けた密封リング３０が立設されている。
上壁２４の側端縁には、上方に起立する側壁３１が設けられ、該側壁３１の上端は覆壁２３に接続しており、上壁２４は覆壁２３上面から下がった段部となっている。
【００１２】
前記嵌着筒２５は、その内周上端にローレット３２が刻設され、その下方には、膨出環３３が設けられている。
内周下端部には、前記口筒部１に形成したネジ溝５に係合するネジ山３４が刻設されている。
バルブ保持筒２６は、嵌着筒２５の内側に垂設され、キャップＢの嵌着時にスリットバルブＤを中栓Ｃに位置決め保持するようにしている。
嵌着筒２５の外周には、ストッパー３５が設けられ、キャップ嵌着時に、前記キャップ位置決め部材８に衝接して、キャップの嵌着筒２５が周方向、上下方向に一定の位置に位置決めされ口筒部１に螺着されるようにしている。
【００１３】
外周壁２２の後部の周壁２７ｂの上壁２４に対応する部分には、開閉蓋取付のための凹溝３６が設けられており、前部の周壁２７ａの上壁２４に対応する位置には、凹部３７が形成され、その上端は、上壁２４上面との間に段差を有する段部３８となっている。
前後部の周壁２７ａ，ｂ内周中央には、係止リブ３９が設けられており、キャップ嵌着時に、前記廻動止め部材１０に係合するようにしている。
嵌着筒２５と外周壁２２との間には、補強リブ４０が架設されており、ストッパ−３５と外周壁２２との間には補強リブ４１が架設されている。
【００１４】
図７，８に示されているように、開閉蓋Ｂ２は、頂壁４２と側壁４３とを有しており、該側壁４３は、後端壁４４と前端壁４５および左右の側端壁４６ａ，ｂとからなり、頂壁４２の所定の部分から後端壁４４にかけて切欠部４７が設けられている。
開閉蓋Ｂ２をキャツプ基体Ｂ１に取着する前記蝶番２０は、後端壁４４端縁と上壁２４に対応する周壁２７ｂ上端部を連結する二つのヒンジ部４８ａ，ｂと、前記頂壁４２の切欠部４７の始端４９と周壁２７ｂの凹溝３６の下端部とに接続された屈曲片５０とからなっており、開閉蓋Ｂ２の開閉時に屈曲片５０が反転することによって開閉蓋Ｂ２を閉鎖位置、または開放位置に維持するようにしている。
前記前端壁４５の端縁には、前記前部の周壁２７ｂの段部３８に係合する指掛け部５１が形成されている。
【００１５】
開閉蓋Ｂ２の頂壁４２下面には、後述するスリットバルブＤのオリフィス形成壁７６の表面に接合する球面を有する突出部５２とオリフィス形成壁７６の上端外周に係合する係止リング５３とが設けられており、係止リング５３の外側には、内周に膨出環５４を設けた密封リング５５が立設されている。
【００１６】
指掛け部５１に近接する両側端壁４６ａ，ｂ側面には膨出部（図示しない）が設けられ、開閉蓋Ｂ２の閉鎖時には、キャップ基体Ｂ１の側壁３１に係合して、開閉蓋Ｂ２を締着するようにしている。
【００１７】
図９に示すように、中栓Ｃは、軟質または硬質の合成樹脂によって成型され、スリットバルブＤを載置する保持壁６０と、該保持壁６０外周に立設されたバルブの保持筒６１と、保持壁６０内周から下垂し容器の口筒部１内周に嵌合される嵌合筒６２とを有している。
保持筒６１の内周には、スリットバルブＤを挟持する膨出環６３が設けられ、保持筒６１外周にはキャップＢの嵌着筒２５内周に締着する膨出突条６４が設けられ、その上方にローレット６５が刻設されている。
【００１８】
図１０に示すように、スリットバルブＤは、バルブ基体７０とバルブヘッド７１とからなり、シリコンゴム、エラストマー、軟質の合成樹脂によって成型されている。
バルブ基体７０は、環状の基板７２を有しており、該基板７２の上面には、内周縁から立ち上がるよう筒壁７３が立設され、上面外周部には、断面台形の保持リング７４が突設されている。
基板７２の下面には、中栓Ｃの嵌合筒６２内周に嵌合される係合筒７５が垂設されている。
【００１９】
バルブヘッド７１は、オリフィス形成壁７６と、該オリフィス形成壁７６に連なる保持筒壁７７と、該保持筒壁７７から下方に連続し、前記筒壁７３の上端に接続する薄肉の連結壁７８とを具えている。
オリフィス形成壁７６は、その外側表面７９を一定の半径を有する球面に形成し、内側表面８０を外側表面の半径より大きな半径を有する球面に形成して、中央部を周辺部より薄肉としている。
内側表面８０の外周縁の径は、外周表面７９の外周縁の径より小さくなっており、内側表面８０の外周縁によってオリフィス形成壁７６の側周面８１が形成されている。
【００２０】
オリフィス形成壁７６の中央には、十字状のスリット８２が切り込まれており、該スリット８２によって区分された四つのフラップ８３が形成され、該フラップ８３の開閉によってオリフィスが形成されるようになっている。
スリットの形状は、十字状に限定されるものでなく、一本のスリット、三本のスリットをＹ字状に配置したもの、三本のスリットを等角に交差配置したもの、四本のスリットを米字状に配置したものであってもよい。
スリット８２の切込み長さは、従来技術と同様に、内容物の粘度、一回毎に所望する吐出量、スリットバルブの材質、形状に応じて設定される。
【００２１】
前記保持筒壁７７は、オリフィス形成壁７６の外側表面７９の周端縁８４から下方に傾斜させた傾斜壁８５と、該傾斜壁８５の下端から下方に連なる垂直壁８６とを具えている。
【００２２】
前記連結壁７８は、断面レ字状に形成され、垂直部８７と傾斜部８８とからなっている。
垂直部８７の上端は、前記垂直壁８６の下端に連なり、傾斜部８８の周端は、バルブ基体７０の筒壁７３に連接されている。
連結壁７８は、保持筒壁７７よりも薄肉となっており、変形がより容易になっている。
【００２３】
次に、スリットバルブＤと中栓Ｃ、キャップＢとの関連について、図１１を参照して説明する。
吐出容器の組立は、まず、スリットバルブＤを中栓Ｃに取着し、次いで、スリットバルブＤを取着した中栓ＣをキャップＢに嵌着する。
次に、キャップＢを、内容物を充填した容器Ａの口筒部１に螺着することによって吐出容器が構成される。
【００２４】
組立の際、スリットバルブＤのバルブ基体７０は、中栓Ｃのバルブの保持壁６０と保持筒６１に装着保持される。
中栓Ｃは、バルブの保持筒６１がキャップ基体Ｂ１の上壁２４に接するまで押し込まれ、膨出突条６４がキャップＢの嵌着筒２５内周に締め代をもって嵌着され、中栓Ｃのローレット６５がキャップの嵌着筒２５内周に設けられたローレット３２に噛み合い、相互の廻動が阻止されることによって、中栓ＣとキャップＢが一体化されている。
【００２５】
スリットバルブＤのバルブ基体７０の基板７２は、中栓Ｃの保持壁６０とキャップ基体Ｂ１のバルブ保持筒２６との間に押圧挟持され、バルブヘッド７１上端は、キャップＢの上壁２４に設けられた開口２８より露出するよう位置決め保持されている。
【００２６】
開閉蓋Ｂ２の突出部５２の球面の径は、スリットバルブＤのオリフィス形成壁７６の外側表面７９の球面の径とほぼ等しく取られており、係止リング５３の内周は、スリットバルブＤの保持筒壁７７の外周と僅かな間隙を持つよう配置されている。
開閉蓋Ｂ２の密封リング５５の内周は、キャップ基体上壁２４に設けられた密封リング３０の外周とほぼ等しくなっており、それぞれの膨出環５４，２９が一定の締め代をもって嵌合するよう形成されている。
【００２７】
次に、容器の使用態様と開閉蓋の作用効果について説明する。
容器の使用にあたっては、まずキャップＢの開閉蓋Ｂ２を開いて、バルブヘッド７１のオリスィス形成壁７６を露出させ、容器Ａの胴壁１３の押圧面１２を手で押圧すると、容器内の内圧の増加とともに、バルブヘッド７１が上昇し、内圧が一定圧に達するとオリフィス形成壁７６の凹部が上昇して、表面が平らな状態になり、さらに加圧されるとフラップ８３が開いてオリフィスが形成され、内容物が吐出される。
【００２８】
押圧を解くと、容器自体の復元力によって容器Ａが元の状態に復帰し、その際内圧が低下するので、バルブヘッド７１は元の状態に復元するとともにフラップ８３が内側方向に開かれ大気が導入される。
内圧が大気圧にほぼ等しくなるとフラップ８３が閉じられ、内容物の密封が維持される。
所望の内容物を吐出し容器を使用しないときには、開閉蓋Ｂ２を閉じて置く。
【００２９】
開閉蓋Ｂ２の閉鎖時には、突出部５２の球面がスリットバルブＤのオリフィス形成壁７６の外側表面７９に接合し、環状の係止リング５３がスリットバルブＤの周端縁８４を囲むことになる。
したがって、開閉蓋Ｂ２によってバルブヘッド７１の上昇とオリフィス形成壁７６の妄動が阻止され、吐出容器を落としたり、必要に応じて容器を振っても内容物のウォーターハンマー現象によってオリフィス形成壁７６が動いたり、スリット８２が開くことはなく、オリフィス形成壁７６の変形、スリット８２からの液洩れを防ぐことができる。
【００３０】
さらに、キャップ基体Ｂ１の上壁２４に設けた密封リング３０と開閉蓋Ｂ２に設けた密封リング５５でバルブ保持部２１を気密に保つようにしているから、吐出時の液垂れ、ウォーターハンマー現象による液洩れなどによりスリットバルブＤの周り、上壁２４、開閉蓋Ｂ２の突出部５２などに内容物が付着しても、その内容物が、外部に浸出することはない。
【００３１】
前記実施形態では、キャップＢを容器の口筒部１に螺着するようにしているが、
口筒部外周のネジ溝と嵌着筒内周に設けたネジ山に変えて、それぞれに嵌合突条を設け、打栓により取着するようにしてもよい。
スリットバルブＤについて、前記実施形態では特定の構造、形状のものについて説明したが、オリフィス形成壁の表面が球面になっているものであれば、如何なる構造、形状を有するものであってもよい。
【００３２】
【発明の効果】
本発明は、上記のように構成されているから、次の効果を奏する。
キャップ基体の上壁に密封リングを設け、開閉蓋に設けた密封リングにより、開閉蓋の封鎖時にキャップのスリットバルブ保持部内を気密にしているから、吐出時の液垂れ、ウォーターハンマー現象による液洩れなどによって、スリットバルブに付着した内容物が外部に浸出することがなく、キャップ上壁上面が汚れない。
【図面の簡単な説明】
【図１】  本発明に係る吐出容器の一部断面側面図である。
【図２】  容器の正面図である。
【図３】  容器の平面図である。
【図４】  キャップの平面図である。
【図５】  キャップの一部断面正面図である。
【図６】  キャップの底面図である。
【図７】  開閉蓋を開いたときのキャップの断面側面図である。
【図８】  開閉蓋を開いたときのキャップの平面図である。
【図９】  中栓の一部断面正面図である。
【図１０】  スリットバルブを示す図で、（ａ）は平面図、（ｂ）は一部断面正面図である。
【図１１】  各部品の関係を説明する断面側面図である。
【符号の説明】
Ａ        容器
Ｂ        キャップ
Ｂ１      キャップ基体
Ｂ２      開閉蓋
Ｃ        中栓
Ｄ        スリットバルブ
１        口筒部
２        肩部
３        胴部
１２        押圧面
１３        胴壁
２１        バルブ保持部
２４        上壁
２５        嵌着筒
２６        バルブ保持筒
２８        開口
２９，５４  膨出環
３０，５５  密封リング
４２        頂壁
５２        突出部
５３        係止リング
７１        バルブヘッド
７６        オリフィス形成壁
７７        保持筒壁
７８        連結壁
７９        外側表面
８０        内側表面
８１        側周面
８２        スリット
【図１】
0003676024.tif 000002
【図２】
0003676024.tif 000003
【図３】
0003676024.tif 000004
【図４】
0003676024.tif 000005
【図５】
0003676024.tif 000006
【図６】
0003676024.tif 000007
【図７】
0003676024.tif 000008
【図８】
0003676024.tif 000009
【図９】
0003676024.tif 000010
【図１０】
0003676024.tif 000011
【図１１】
0003676024.tif 000012